(57)【要約】【課題】フィルムがガラス板から剥がれ難いガラス製品を提供する。【解決手段】ガラス製品１は、ガラス板２と、フィルム４と、封止部５とを備えている。フィルム４は、ガラス板２の主面２１に貼り付けられている。封止部５は、フィルム４の表面から主面２１においてフィルム４が貼り付けられていない部分にわたり、主面２１とフィルム４との間を封止している。【選択図】図１
2020015648.tif 000002
【特許請求の範囲】
【請求項１】
ガラス板と、
前記ガラス板の主面に貼り付けられたフィルムと、
前記フィルムの表面から前記主面において前記フィルムが貼り付けられていない部分にわたり、前記主面と前記フィルムとの間を封止した封止部とを備えた、
ガラス製品。
【請求項２】
前記封止部は合成樹脂から形成された、
請求項１に記載のガラス製品。
【請求項３】
前記主面は、
主部と、
前記主部と前記ガラス板の端面とをつないだ面取部とを有し、
前記フィルムは、前記主部に前記面取部との間に間隔をあけて貼り付けられており、
前記封止部は、前記主部における前記フィルムよりも前記面取部側に位置する部分に前記面取部に沿って接合された、
請求項１又は請求項２に記載のガラス製品。
【請求項４】
前記ガラス板の端部に取り付けられ、前記ガラス板の端部と前記封止部とを覆うキャップを更に備えた、
請求項１〜３のいずれか１項に記載のガラス製品。
【請求項５】
前記キャップは、前記フィルムの表面に接している、
請求項４に記載のガラス製品。
【請求項６】
前記キャップは、前記封止部に接している、
請求項４又は請求項５に記載のガラス製品。
【請求項７】
ガラス板と、
前記ガラス板の主面に貼り付けられたフィルムと、
前記ガラス板の端部に取り付けられ、前記ガラス板の端部を覆うキャップとを備え、
前記キャップは、前記フィルムの表面に接し、前記フィルムの端面を覆う、
ガラス製品。
【発明の詳細な説明】
【技術分野】
【０００１】
本開示は、ガラス製品に関する。
【背景技術】
【０００２】
特許文献１には、三酢酸セルロースフィルム基材の表面にシリカ含有アクリル系樹脂コート層が設けられたガラス用浸水性被覆材を、ガラス基材に貼着することが開示されている。
【先行技術文献】
【特許文献】
【０００３】
【特許文献１】特開２００５−６６８２４号公報
【発明の概要】
【発明が解決しようとする課題】
【０００４】
ところで、ガラス板の主面にフィルムが貼り付けられたガラス製品にあっては、フィルムがガラス板から剥がれ難くする必要がある。
【０００５】
本開示は上記事由に鑑みてなされており、フィルムがガラス板から剥がれ難いガラス製品を提供することを目的とする。
【課題を解決するための手段】
【０００６】
本開示の一態様に係るガラス製品は、ガラス板、フィルム及び封止部を備えている。前記フィルムは、前記ガラス板の主面に貼り付けられている。前記封止部は、前記フィルムの表面から前記主面において前記フィルムが貼り付けられていない部分にわたり、前記主面と前記フィルムとの間を封止している。
【０００７】
本開示の他の一態様に係るガラス製品は、ガラス板、フィルム及びキャップを備えている。前記フィルムは、前記ガラス板の主面に貼り付けられている。前記キャップは、前記ガラス板の端部に取り付けられ、前記ガラス板の端部を覆っている。前記キャップは、前記フィルムの表面に接し、前記フィルムの端面を覆っている。
【発明の効果】
【０００８】
前記一態様及び前記他の一態様に係るガラス製品は、フィルムがガラス板から剥がれ難い。
【図面の簡単な説明】
【０００９】
【図１】図１は、本開示に係る一実施形態のガラス製品の断面図である。
【図２】図２は、同上のガラス製品とは異なる他例のガラス製品の断面図である。
【発明を実施するための形態】
【００１０】
（１）概要
以下に示す実施形態は、ガラス製品に関し、詳しくは、ガラス板にフィルムが貼り付けられたガラス製品に関する。
【００１１】
本実施形態のガラス製品１は、図１に示すように、ガラス板２、フィルム４及び封止部５を備えている。フィルム４は、ガラス板２の主面２１に貼り付けられている。本開示におけるガラス板２の「主面」とは、ガラス板２における厚み方向の両側の面のうちの一方の面である。
【００１２】
封止部５は、フィルム４の表面から主面２１においてフィルム４が貼り付けられていない部分にわたっており、主面２１とフィルム４との間を封止している。本開示におけるフィルム４の「表面」とは、フィルム４におけるガラス板２とは反対側の面を意味する。
【００１３】
本実施形態のガラス製品１は、フィルム４の表面からガラス板２の主面２１にわたる封止部５により、フィルム４がガラス板２から離れる方向に移動することが規制される。また、封止部５によってガラス板２の主面２１とフィルム４との間が封止される。このため、フィルム４をガラス板２に貼り付けるための接着層に水が浸入することが抑制されて、接着層の変質が抑制される。したがって、フィルム４がガラス板２から剥がれ難い。
【００１４】
（２）詳細
図１に示す本実施形態のガラス製品１は、洗面台とミラーキャビネットとを備えた洗面化粧台において、ミラーキャビネットの鏡（鏡扉）として用いられる。ガラス製品１は、ガラス板２、フィルム４、封止部５及びキャップ６を備えている。本実施形態のガラス製品１の形状は、矩形板状であり、矩形状のガラス板２で主体が構成されている。
【００１５】
ガラス板２は、一枚の板ガラスだけで構成された単板ガラスであり、透光性を有している。本実施形態のガラス板２の厚みは、５ｍｍである。ガラス板２は、一対の主面２１，２２と、四方の端面２３とを有している。一対の主面２１，２２は、図１中Ｄ１に示すガラス板２の厚み方向（以下、ガラス板厚み方向という）の両側の面をそれぞれ構成している。ガラス板２の四方の端面２３は、ガラス板２の四辺をそれぞれ構成している。ガラス板２の各端面２３は、ガラス板厚み方向と平行な平面である。以下、必要に応じて、一対の主面２１，２２のうち、ガラス製品１の表面側に位置する一方の主面２１を第１主面２１といい、ガラス製品１の裏面側に位置する他方の主面２２を第２主面２２という。第１主面２１及び第２主面２２の各々の外周縁は、ガラス板２の四方の端面２３につながっている。
【００１６】
本実施形態では、第１主面２１が、主部２４と、四方の面取部３１とを有している。主部２４は、第１主面２１の主体を構成している。主部２４は、ガラス板厚み方向と直交した平面である。四方の面取部３１は、第１主面２１の４辺をそれぞれ構成し、主部２４を囲んでいる。
【００１７】
第２主面２２は、主部２５と、四方の面取部３２とを有している。主部２５は、第２主面２２の主体を構成している。主部２５は、ガラス板厚み方向と直交した平面である。四方の面取部３２は、第２主面２２の４辺をそれぞれ構成し、主部２５を囲んでいる。
【００１８】
第１主面２１の四方の面取部３１は、主部２４の外周縁と、ガラス板２の四方の端面２３とをつないでいる。第２主面２２の四方の面取部３２は、主部２５の外周縁と、ガラス板２の四方の端面２３とをつないでいる。以下、必要に応じて、面取部３１を第１面取部３１といい、面取部３２を第２面取部３２という。
【００１９】
各面取部３１，３２は、矩形状のガラス板２の主面と端面とで成す角部を面取加工することで形成されてもよいし、ガラス板２の成形時に形成されてもよい。本実施形態の各面取部３１，３２は、主部２４と端面２３の各々に対して傾斜した平面である。
【００２０】
ガラス製品１は、第２主面２２の主部２５に形成された反射層７を備えている。反射層７は、ガラス板２を透過した光を、ガラス板２の第１主面２１側に向かって反射する。このため、ガラス製品１を鏡として利用することができる。反射層７は、例えば、ガラス板２の第２主面２２に銀をコーティングすることで形成された銀膜である。本実施形態の反射層７の厚みは、５０μｍである。
【００２１】
ガラス板２の第１主面２１には、フィルム４が貼り付けられている。本実施形態のフィルム４は、主部２４における外周縁部（各第１面取部３１に隣接する部分）を除いた他の部分にわたって貼り付けられている。すなわち、フィルム４は、主部２４において第１面取部３１との間に間隔をあけて貼り付けられている。
【００２２】
本実施形態のフィルム４は、合成樹脂から形成されたフィルムである。具体的にフィルム４は、透光性を有する複層フィルムであり、基材層４０、接着層４１及び機能層４２を有している。
【００２３】
基材層４０は、透光性を有する樹脂フィルムであり、具体的にはＰＥＴ（ポリエチレンテレフタレート）から形成されたポリエステルフィルムである。本実施形態の基材層４０の厚みは、５０μｍ又は７５μｍである。
【００２４】
基材層４０は、接着層４１を介してガラス板２の第１主面２１に接着されている。接着層４１は、例えば、基材層４０のガラス板２側の面の全体に形成される。本実施形態の接着層４１は、基材層４０におけるガラス板２側を向く面に塗布された粘着剤から形成されており、透光性を有している。本実施形態の接着層４１の厚みは、１６μｍである。
【００２５】
基材層４０の接着層４１とは反対側の面には、機能層４２が形成されている。機能層４２は、例えば、基材層４０を保護する保護フィルムや、防曇性・防汚性・抗菌性等を有するコーティング膜であり、透光性を有している。機能層４２は、基材層４０の接着層４１とは反対側の面の全体にわたって形成されている。本実施形態の機能層４２の厚みは、３０μｍである。
【００２６】
ガラス板２の第１主面２１において、フィルム４が貼り付けられていない部分には、第１主面２１とフィルム４との間を封止する封止部５が形成されている。本実施形態の封止部５は、合成樹脂から形成されており、具体的には、スリーボンド社製ＴＢ３０３６のアクリル系接着剤の硬化物である。
【００２７】
本実施形態の封止部５は、主部２４においてフィルム４が貼り付けられていない外周縁部に接合されている。すなわち、封止部５は、主部２４においてフィルム４よりも面取部３１側に位置する部分に、第１面取部３１に沿って接合されている。本実施形態の封止部５は、第１主面２１の周方向の全長にわたっている。
【００２８】
本実施形態では、封止部５が、ガラス板厚み方向と直交する平面となった主部２４に形成されている。このため、封止部５が第１主面２１において第１面取部３１にのみ接合される場合と比較して、ガラス製品１を多数製造するにあたって、封止部５を安定してガラス板２に接合することができる。また、封止部５が第１面取部３１に沿って接合されているため、第１面取部３１と主部２４との境のラインと封止部５が略重なり、封止部５の存在を目立ち難くすることができる。
【００２９】
具体的に封止部５は、主部２４の外周縁部、第１面取部３１の主部２４側の端部、フィルム４の端面（基材層４０の端面、機能層４２の端面及び接着層４１の端面）及びフィルム４の表面（機能層４２の基材層４０とは反対側の面）の外周縁部に接合されている。これにより、フィルム４の端面は、封止部５を介してガラス板２に接着されている。封止部５は、主部２４の外周縁部、第１面取部３１の主部２４側の端部、フィルム４の端面及びフィルム４の表面の外周縁部を覆っている。
【００３０】
封止部５は、フィルム４の端面に物体が当たることを抑制する。また、封止部５においてフィルム４の表面を覆う部分は、フィルム４の端部がガラス板２から離れる方向に移動することを規制する。このため、フィルム４の端部は、ガラス板２から剥がれ難い。
【００３１】
ガラス板２の第１主面２１とフィルム４との間の外周側は、封止部５によって覆われており、封止部５は、第１主面２１とフィルム４との間に、水等の液体やごみ等（以下、液体等という）が入り込むことを抑制する。このため、液体等が接着層４１に至って接着層４１が変質することが抑制され、接着層４１の接着力が低下し難い。
【００３２】
矩形状のガラス板２の各辺を構成する端部には、キャップ６がそれぞれ取り付けられている。各キャップ６は、ガラス板２の端部と封止部５とを覆う端部キャップであり、矩形状のガラス板２の一辺に沿って延びた長尺な部材である。本実施形態の各キャップ６は、断面略Ｊ字状に形成されており、ガラス板２の端面２３に沿った端面対向部６０と、端面対向部６０の両端部からガラス板２側に向かってそれぞれ突出した一対の主面対向部６１，６２とを有している。以下、必要に応じて、一対の主面対向部６１，６２のうち一方の主面対向部６１を第１主面対向部６１といい、他方の主面対向部６２を第２主面対向部６２という。
【００３３】
端面対向部６０は、ガラス板２の端面２３に対向し、ガラス板２の端面２３を覆っている。端面対向部６０は、ガラス板２の端面２３に接触又は非接触のいずれの状態で、端面２３に沿っていてもよい。端面対向部６０は、ガラス板厚み方向における一方の端部である第１端部６０１と、第１端部６０１とは反対側の端部である第２端部６０２とを有している。
【００３４】
第１主面対向部６１は、端面対向部６０の第１端部６０１からガラス板２側に向かって突出している。第２主面対向部６２は、端面対向部６０の第２端部６０２からガラス板２側に向かって突出している。第２主面対向部６２は、第１主面対向部６１よりもガラス板２側に突出している。第１主面対向部６１は、ガラス板２の第１主面２１に対向し、第２主面対向部６２は、ガラス板２の第２主面２２に対向している。
【００３５】
キャップ６には、ガラス板２側に開口した凹部６３が形成されている。凹部６３は、端面対向部６０、第１主面対向部６１及び第２主面対向部６２で囲まれた空間である。凹部６３には、ガラス板２の端部が嵌め込まれている。本実施形態のガラス製品１は、ガラス板２と各キャップ６とを接着する接着層８を備えている。各キャップ６の第２主面対向部６２は、接着層８を介してガラス板２に取り付けられている。各接着層８は、第２主面対向部６２の内面に塗布された粘着剤又は接着剤である。
【００３６】
第１主面対向部６１は、先端に近い部分ほど第１主面２１に近くなるように曲がっている。本実施形態では、第１主面対向部６１の先端部におけるフィルム４の表面に対向する面が、フィルム４の表面と平行であり、この面がフィルム４の表面の外周縁部に接触している。このため、キャップ６の外側の液体等が、第１主面対向部６１の先端部とフィルム４の表面との間から、キャップ６の内側に浸入することが抑制される。したがって、本実施形態では、ガラス板２の第１主面２１とフィルム４との間に液体等が浸入することが、キャップ６と封止部５とで二重に抑制される。
【００３７】
また、第１主面対向部６１がフィルム４の表面に接することで、フィルム４の端部がガラス板２から離れる方向に移動することがキャップ６によって規制される。このため、フィルム４はガラス板２から一層剥がれ難い。
【００３８】
また、第１主面対向部６１の内面（第２主面対向部６１に対向する面）は、封止部５に接触している。このため、仮に第１主面対向部６１の先端部とフィルム４の表面との間から、液体等がキャップ６の内側に浸入したとしても、この液体等が封止部５を超えてキャップ６の更に内側に浸入して接着層８に至ることが抑制される。
【００３９】
（３）変形例
なお、前記実施形態のガラス製品１は、適宜設計変更可能である。例えば、ガラス板２は、複数の板ガラスがガラス板厚み方向に積層された複層ガラスであってもよい。また、ガラス板２は、矩形以外の形状に形成されてもよい。また、ガラス製品１は鏡に限られず、反射層７を備えなくてもよい。また、ガラス製品１は、反射層７のガラス板２とは反対側の面に配置される保護層等を備えてもよい。
【００４０】
また、第１主面２１の各第１面取部３１は、平面ではなく、断面弧状の面（丸面）であってもよい。また、第２主面２２の各第２面取部３２も、断面弧状の面であってもよい。また、第１主面２１及び第２主面２２の各々は、例えば、ガラス板厚み方向と直交する平面だけで構成されてもよい。
【００４１】
また、フィルム４は、主部２４の全体にわたって貼り付けられてもよい。この場合、封止部５は、第１主面２１において第１面取部３１にのみ接合され、主部２４には接合されない。
【００４２】
また、フィルム４の基材層４０の材料は、ＰＥＴに限られず、ポリプロピレン、塩化ビニール、アクリル等のＰＥＴ以外の樹脂から形成されてもよい。また、本実施形態のフィルム４は、厚さが２５０μｍ未満であるが、厚さが２５０μｍ以上であってもよい。また、フィルム４は単層フィルムであってもよく、また、樹脂以外の材料から形成されたフィルムであってもよい。
【００４３】
また、フィルム４は接着層４１を有さなくてもよい。この場合、フィルム４は、例えば、他の粘着剤又は接着剤からなる接着層等を介して、ガラス板２の第１主面２１に貼り付けられる。
【００４４】
また、前記実施形態の封止部５は、第１主面２１の外周縁部から第１面取部３１側にはみ出して、第１面取部３１にも接合されているが、第１面取部３１には接合されなくてもよい。また、封止部５は、エポキシ樹脂、シリコーンゴム等のアクリル系接着剤以外の材料から形成されてもよい。
【００４５】
また、キャップ６は、フィルム４の表面と封止部５とのうち一方にのみ接してもよいし、両方に接触しなくてもよい。また、キャップ６は、端面対向部６０がガラス板２の端面２３に接着されてもよい。また、キャップ６をガラス板２に接着する手段は、粘着剤又は接着剤に限られず、例えば、両面テープであってもよい。また、キャップ６は、ガラス板２に接着されず、ガラス板２の端部を嵌め込むことだけで、ガラス板２に対して固定されてもよい。
【００４６】
また、キャップ６は省略可能である。この場合、フィルム４の端面から第１主面２１の外周縁までの距離は、１ｍｍ未満であることが好ましい。第１主面２１において、フィルム４の端面から第１主面２１の外周縁までの部分を目立ち難くすることができるからである。
【００４７】
また、ガラス製品１は、図２に示すように、キャップ６をフィルム４の表面に接するように設ければ、封止部５を備えなくてもよい。すなわち、この場合、ガラス板２の第１主面２１とフィルム４との間は、キャップ６によって覆われる。
【００４８】
また、本開示の技術は、洗面台の上方において壁に沿って設置される鏡や、浴室や廊下等の壁に設置される鏡、屋外に設置される鏡等のガラス製品にも適用できる。また、本開示の技術は、窓ガラスや、間仕切り用ガラス、ドアガラス等、鏡以外のガラス製品にも適用できる。
【００４９】
（４）態様
以上説明した、実施形態及び変形例から明らかなように、第１の態様のガラス製品（１）は、以下に示す構成を有する。ガラス製品（１）は、ガラス板（２）と、フィルム（４）と、封止部（５）とを備えている。フィルム（４）は、ガラス板（２）の主面（２１）に貼り付けられている。封止部（５）は、フィルム（４）の表面から主面（２１）においてフィルム（４）が貼り付けられていない部分にわたり、主面（２１）とフィルム（４）との間を封止している。
【００５０】
この態様によれば、フィルム（４）の表面からガラス板（２）の主面（２１）にわたる封止部（５）により、フィルム（４）がガラス板（２）から離れる方向に移動することが規制される。また、封止部（５）によってガラス板（２）の主面（２１）とフィルム（４）との間が封止される。このため、ガラス板（２）とフィルム（４）との間に水等の液体やごみ等が浸入することが抑制され、フィルム（４）をガラス板（２）の主面（２１）に接着するための接着層（４１）の変質が抑制される。したがって、フィルム（４）はガラス板（２）から剥がれ難い。
【００５１】
また、第２の様態のガラス製品（１）は、第１の様態との組み合わせにより実現され得る。第２の態様の封止部（５）は、合成樹脂から形成されている。
【００５２】
この態様によれば、フィルム（４）がガラス板（２）から剥がれることを、合成樹脂製の封止部（５）によって抑制することができる。
【００５３】
また、第３の様態のガラス製品（１）は、第１又は第２の様態との組み合わせにより実現され得る。第３の態様の主面（２１）は、主部（２４）と、面取部（３１）とを有している。面取部（３１）は、主部（２４）とガラス板（２）の端面（２３）とをつないでいる。フィルム（４）は、主部（２４）に面取部（３１）との間に間隔をあけて貼り付けられている。封止部（５）は、主部（２４）におけるフィルム（４）よりも面取部（３１）側に位置する部分に面取部（３１）に沿って接合されている。
【００５４】
この態様によれば、封止部（５）を安定してガラス板（２）に接合することができる。また、封止部（５）の存在を目立ち難くすることができる。
【００５５】
また、第４の態様のガラス製品（１）は、第１〜第３のいずれかの態様との組み合わせにより実現され得る。第４の態様のガラス製品（１）は、キャップ（６）を更に備えている。キャップ（６）は、ガラス板（２）の端部に取り付けられ、ガラス板（２）の端部と封止部（５）とを覆う。
【００５６】
この態様によれば、キャップ（６）によりガラス板（２）の端部を覆うことで、液体等がガラス板（２）の主面（２１）とフィルム（４）との間に浸入することを抑制することができる。
【００５７】
また、第５の態様のガラス製品（１）は、第４の態様との組み合わせにより実現され得る。キャップ（６）は、フィルム（４）の表面に接している、
この態様によれば、キャップ（６）により、フィルム（４）がガラス板（２）から離れる方向に移動することが規制される。また、液体等が、キャップ（６）とフィルム（４）との間からキャップ（６）の内側に浸入することが抑制される。
【００５８】
また、第６の態様のガラス製品（１）は、第４又は第５の態様との組み合わせにより実現され得る。第６の態様のキャップ（６）は、封止部（５）に接している。
【００５９】
この態様によれば、液体等が、キャップ（６）と封止部（５）との間からキャップ（６）の内側に浸入することが抑制される。
【００６０】
また、第７の態様のガラス製品（１）は、フィルム（４）とキャップ（６）とを備えている。フィルム（４）は、ガラス板（２）の主面（２１）に貼り付けられている。キャップ（６）は、ガラス板（２）の端部に取り付けられ、ガラス板（２）の端部を覆っている。キャップ（６）は、フィルム（４）の表面に接し、フィルム（４）の端面を覆っている。
【００６１】
この態様によれば、キャップ（６）により、フィルム（４）がガラス板（２）から離れる方向に移動することが規制される。また、キャップ（６）によってガラス板（２）の主面（２１）とフィルム（４）と間に水等の液体やごみ等が浸入することが抑制され、フィルム（４）をガラス板（２）の主面（２１）に接着するための接着層（４１）の変質が抑制される。したがって、フィルム（４）はガラス板（２）から剥がれ難い。
【符号の説明】
【００６２】
１  ガラス製品
２  ガラス板
２１  第１主面（主面）
２３  端面
２４  主部
３１  第１面取部（面取部）
４  フィルム
５  封止部
６  キャップ
【図１】
2020015648.tif 000003
【図２】
2020015648.tif 000004